(57)【要約】【課題】読み出しボタンがどのような機能に関するものであるかを容易に認識可能な画像形成装置の表示制御装置の提供。【解決手段】複数の機能を有する複合機１の表示制御装置１００は、タッチパネル５ａ及び操作キー５ｂと、記憶部４４と、制御部４５とを備える。タッチパネル５ａ及び操作キー５ｂは、複数の機能のうち少なくとも１つの機能の設定を受け付ける。記憶部４４は、タッチパネル５ａ及び操作キー５ｂが受け付けた少なくとも１つの機能の設定を記憶する。タッチパネル５ａは、記憶部４４が記憶している機能の設定を読み出すための読み出しボタンＫ１〜Ｋ５を選択可能に表示する。制御部４５は、読み出しボタンＫ１〜Ｋ５上に、設定された機能の少なくとも１つを示す記号が表示されるように、タッチパネル５ａの表示動作を制御する。【選択図】図６
2009065243.tif 000002
【特許請求の範囲】
【請求項１】
複数の機能を有する画像形成装置の表示制御装置であって、
複数の前記機能のうち少なくとも１つの前記機能の設定を受け付ける設定受付部と、
前記設定受付部が受け付けた少なくとも１つの前記機能の設定を記憶する記憶部と、
前記記憶部が記憶している前記機能の設定を読み出すための読み出しボタンを選択可能に表示する表示部と、
前記読み出しボタン上に、設定された前記機能の少なくとも１つを示す記号が表示されるように、前記表示部の表示動作を制御する制御部と、
を備える、画像形成装置の表示制御装置。
【請求項２】
前記設定受付部は、前記機能の設定を表すべき名称の外部からの入力を更に受け付け、
前記記憶部は、前記名称を、前記機能の設定に対応づけて更に記憶し、
前記制御部は、前記機能の設定に対応する前記名称が前記読み出しボタン上に表示されるように、前記表示部の表示動作を更に制御する、
請求項１に記載の画像形成装置の表示制御装置。
【請求項３】
設定された前記機能の数が前記読み出しボタンに表示可能な前記記号の第１上限数を超えている場合、前記制御部は、前記記号を、前記機能の設定順に前記第１上限数に至るまで前記読み出しボタン上に表示させる、
請求項１または２に記載の画像形成装置の表示制御装置。
【請求項４】
前記設定受付部は、設定された前記機能の数が前記読み出しボタンに表示可能な前記記号の第２上限数を超えている場合、設定された前記機能のうち、前記読み出しボタン上に表示すべき前記記号に対応する前記機能の選択を更に受け付け、
前記制御部は、選択された前記機能を示す前記記号を、前記読み出しボタン上に表示させる、
請求項１または２に記載の画像形成装置の表示制御装置。
【請求項５】
前記表示部は、前記記号を選択可能に表示し、
前記制御部は、前記記号が選択された場合、選択された前記記号に対応する機能の編集画面が前記表示部に表示されるように、前記表示部の表示動作を更に制御する、
請求項１〜４のいずれかに記載の画像形成装置の表示制御装置。
【発明の詳細な説明】
【技術分野】
【０００１】
本発明は、画像形成装置の表示制御装置、特に、複数の機能を有する画像形成装置の表示制御装置に関する。
【背景技術】
【０００２】
近年の画像形成装置は、例えば両面印刷機能やソート機能、画像データを送信する際に用いられる送信サイズ設定機能等の多くの機能を有している。このような機能により、ユーザは、原稿を所望の状態にコピーしたり、画像データを送信したりすることができる。
【０００３】
ところで、コピーや画像データの送信時において用いるべき機能が多いと、機能の設定に要する時間が長くなってしまう。また、機能の設定によっては、繰り返し用いられるものもある。そこで、近年の画像形成装置には、例えば特許文献１に開示されているように、機能の設定を不揮発性の記憶媒体に記憶する、いわゆるプログラム設定登録機能を備えたものが知られている。これにより、ユーザは、既に用いたことのある機能の設定を繰り返し行わずに済む。
【特許文献１】特開２００４―２３４１９５号公報
【発明の開示】
【発明が解決しようとする課題】
【０００４】
特許文献１では、記憶媒体に記憶された機能の設定が複数ある場合、画像形成装置の表示部には、機能の設定を表す名称がそれぞれ付された読み出しボタンが選択可能に表示される。しかしながら、名称によっては、その名称が付された読み出しボタンがどのような機能の設定に関するボタンであるのかを、ユーザが認識しにくい場合がある。すると、ユーザは、所望する機能の設定を読み出すための読み出しボタンとは別のボタンを選択してしまう恐れがある。
【０００５】
そこで、本発明は、読み出しボタンがどのような機能に関するものであるかを容易に認識可能な画像形成装置の表示制御装置を提供することを目的とする。
【課題を解決するための手段】
【０００６】
発明１に係る画像形成装置の表示制御装置は、複数の機能を有する画像形成装置の表示制御装置であって、設定受付部と、記憶部と、表示部と、制御部とを備える。設定受付部は、複数の機能のうち少なくとも１つの機能の設定を受け付ける。記憶部は、設定受付部が受け付けた少なくとも１つの機能の設定を記憶する。表示部は、記憶部が記憶している機能の設定を読み出すための読み出しボタンを選択可能に表示する。制御部は、読み出しボタン上に、設定された機能の少なくとも１つを示す記号が表示されるように、表示部の表示動作を制御する。
【０００７】
この表示制御装置によると、読み出しボタン上には、設定された機能を示す文字や絵、絵文字等の記号が表示される。従って、ユーザは、具体的にどのような機能の設定に関する読み出しボタンであるのかを視覚的に認識し、所望の読み出しボタンを選択することができる。
【０００８】
発明２に係る画像形成装置の表示制御装置は、発明１に係る画像形成装置の表示制御装置であって、設定受付部は、機能の設定を表すべき名称の外部からの入力を更に受け付ける。記憶部は、名称を、機能の設定に対応づけて更に記憶する。制御部は、機能の設定に対応する名称が読み出しボタン上に表示されるように、表示部の表示動作を更に制御する。
【０００９】
この表示制御装置によると、読み出しボタンには、設定された機能を示す記号と共に、ユーザにより入力された名称が表示される。従って、ユーザは、読み出しボタンがどのような機能の設定に関するものであるのかを、確実に認識することができる。
【００１０】
発明３に係る画像形成装置の表示制御装置は、発明１または２に係る画像形成装置の表示制御装置であって、設定された機能の数が読み出しボタンに表示可能な記号の第１上限数を超えている場合、制御部は、記号を、機能の設定順に第１上限数に至るまで読み出しボタン上に表示させる。
【００１１】
これにより、読み出しボタン上には、はじめに設定が行われた機能から順に第１上限数となるまでの記号が表示される。従って、ユーザは、主にどのような機能の設定に関するボタンであるのかを認識することができる。
【００１２】
発明４に係る画像形成装置の表示制御装置は、発明１または２に係る画像形成装置の表示制御装置であって、設定受付部は、設定された機能の数が読み出しボタンに表示可能な記号の第２上限数を超えている場合、設定された機能のうち、読み出しボタン上に表示すべき記号に対応する機能の選択を更に受け付ける。制御部は、選択された機能を示す記号を、読み出しボタン上に表示させる。
【００１３】
これにより、読み出しボタン上には、ユーザにより選択された機能の記号が表示される。従って、ユーザは、主にどのような機能の設定に関するボタンであるのかを認識することができる。
【００１４】
発明５に係る画像形成装置の表示制御装置は、発明１〜４のいずれかに係る画像形成装置の表示制御装置であって、表示部は、記号を選択可能に表示する。制御部は、記号が選択された場合、選択された記号に対応する機能の編集画面が表示部に表示されるように、表示部の表示動作を更に制御する。
【００１５】
これにより、ユーザは、選択した機能の設定を変更することができる。
【発明の効果】
【００１６】
本発明によると、ユーザは、読み出しボタンが具体的にどのような機能の設定に関するものであるかを視覚的に認識し、所望の読み出しボタンを選択することができる。
【発明を実施するための最良の形態】
【００１７】
以下、図面を参照して、本発明に係る画像形成装置の表示制御装置について説明する。
【００１８】
（１）複合機の構成
図１は、本実施形態に係る画像形成装置の表示制御装置１００が採用された複合機１の外観図である。図１の複合機１は、原稿カバー３、本体部４、操作パネル５、給紙カセット６及び排出トレイ７を備えており、複数の機能を有している。ここで、複数の機能としては、図３に示すように、例えば原稿サイズ設定機能、原稿サイズ混載機能、両面印刷機能、送信サイズ設定機能、原稿セット向き設定機能、ファイル形式機能、ソート／仕分け機能、長尺原稿機能等が挙げられる。更に、複合機１は、これらの複数の機能のうち少なくとも１つの機能の設定を記憶部４４（図２）に記憶する、いわゆるプログラム設定登録機能を有している。
【００１９】
本体部４の原稿カバー３と対向する部分には、原稿載置台２が設置されている。原稿カバー３は、原稿載置台２に対して開閉自在に本体部４に装着されており、原稿載置台２に載置された原稿を押さえることができる。
【００２０】
本体部４は、図２に示すように、主として、通信部４１、原稿読み取り部４２、画像形成部４３、記憶部４４及び制御部４５を含む。
【００２１】
通信部４１は、通信ネットワークを介して接続されたＰＣ等の外部装置（図示せず）と通信を行うものであって、外部装置から画像データ等を取得することができる。
【００２２】
原稿読み取り部４２は、原稿載置台２に載置された原稿を読み取って画像データを取得するためのものであって、図示しない光学系を有している。
【００２３】
画像形成部４３は、通信部４１や原稿読み取り部４２から取得された画像データに基づいてトナー像を形成し、用紙等の記録媒体に印刷する。具体的には、画像形成部４３は、複合機１が有している複数の機能のうち、ユーザにより操作パネル５を介して各種機能の設定がなされた場合には、その設定に応じて画像形成動作を行う。
【００２４】
記憶部４４は、例えばフラッシュメモリ等の不揮発性メモリで構成され、制御部４５のＣＰＵが読み出して実行するための各種プログラムを記憶している。特に、本実施形態に係る記憶部４４は、操作パネル５を用いて少なくとも１つの機能の設定がなされ、この機能の設定を表すべき名称が入力されると、機能の設定と名称とを対応づけて記憶する。また、記憶部４４は、複合機１の有する各機能を示す記号を記憶している。より具体的には、記憶部４４は、記号対応表（図３）及びプログラム設定登録リスト（図４）を記憶している。図３の記号対応表には、複合機１が有する各機能の名称と、各機能を示す記号とが、対応づけて示されている。尚、本実施形態に係る「記号」には、各機能を示す文字や絵、絵文字が該当するが、図３の記号対応表には、記号が「絵」（具体的にはアイコン）である場合が示されている。図４のプログラム設定登録リストには、操作パネル５を用いてユーザによりなされた各機能の設定の登録順と、各機能の設定を表すべき名称と、機能設定内容とが、それぞれ対応づけて示されている。ここで、各機能設定内容には、名称に対応する機能設定の具体的な内容が書き込まれており、各機能設定の具体的な内容には、各機能の設定順を示す番号が付されている。
【００２５】
制御部４５は、ＲＡＭやＣＰＵ等で構成されるマイクロコンピュータであって、図２に示すように、通信部４１、原稿読み取り部４２、画像形成部４３、記憶部４４及び操作パネル５と接続されている。制御部４５は、例えば画像形成動作の制御等の、接続された各機能部の制御を行う。特に、制御部４５は、後述する表示制御装置１００の制御部としても機能する。尚、表示制御装置１００としての制御については、「（２）表示制御装置の構成」で詳述する。
【００２６】
操作パネル５は、図１に示すように、本体部４において原稿載置台２の手前側部分に設けられ、図５に示すように、タッチパネル５ａ（表示部に相当）と操作キー５ｂ（タッチパネル５ａ及び操作キー５ｂは、設定受付部に相当）とを有している。タッチパネル５ａは、例えば液晶ディスプレイやマトリクススイッチ等で構成されており、各種画面をカラー表示する。タッチパネル５ａが表示する画面としては、例えば複合機１が有する各機能の設定を行うための各種設定画面や、既に記憶部４４に記憶されている機能の設定の読み出し画面Ｐ１，Ｐ２（図６，図７）等が挙げられる。ここで、図６及び図７の読み出し画面Ｐ１，Ｐ２には、記憶部４４のプログラム設定登録リストから各機能の設定を読み出すための読み出しボタンＫ１〜Ｋ５が含まれている。各読み出しボタンＫ１〜Ｋ５は、選択可能にタッチパネル５ａに表示され、読み出しボタンＫ１〜Ｋ５上には、設定された機能の少なくとも１つを示す記号と、この機能の設定を表すべき名称とが表示される。更に、この記号は、個々に選択可能に表示されている。これにより、ユーザは、タッチパネル５ａ上の読み出しボタンＫ１〜Ｋ５に直接触れることで、所望の読み出しボタンＫ１〜Ｋ５や記号を選択することができる。尚、図６及び図７における読み出しボタンＫ１〜Ｋ５は、上下に２つの領域を有しており、下の領域には名称が表示され、上の領域には記号が横に並んで表示されている。操作キー５ｂは、印刷の開始を指示するためのスタートキーや、各種設定等をリセットするためのリセットキー、各種機能を設定するための各種設定キー、テンキー、設定された機能の記憶部４４への記憶及び読み出しを行うためのプログラムキー５１Ｂ等を有している。このようなタッチパネル５ａ及び操作キー５ｂは、複合機１が有する複数の機能のうち少なくとも１つの機能の設定や、この機能の設定を表すべき名称の入力を受け付けることができる。
【００２７】
給紙カセット６は、用紙を収納可能であって、図１に示すように本体部４の下方に３段設けられている。
【００２８】
排出トレイ７は、本体部４の側面に側方に突出するように設けられており、画像形成動作後の記録媒体が積載される。
【００２９】
（２）表示制御装置の構成
次に、本実施形態に係る表示制御装置１００の構成について説明する。表示制御装置１００は、図２に示すように、操作パネル５、記憶部４４及び制御部４５を備える。尚、操作パネル５及び記憶部４４については、既に説明しているため、以下では、表示制御装置１００としての制御を行う制御部４５について、具体的に説明する。
【００３０】
主に、表示制御装置１００としての制御部４５は、プログラム設定登録リストの更新制御、読み出し画面Ｐ１，Ｐ２の表示制御、機能の設定を変更するための編集画面の表示制御を行う。
【００３１】
（２−１）プログラム設定登録リストの更新制御
複合機１の有する複数の機能のうち少なくとも１つの機能の設定が、ユーザにより操作パネル５を介してなされた場合、制御部４５は、記憶部４４のプログラム設定登録リスト（図４）に新たなレコードを作成し、作成した新たなレコードに操作パネル５が受け付けた機能の設定を書き込む。ここで、新たなレコードの「登録順」には、新たなレコードの直前のレコードにおける登録順の番号をインクリメントしたものが書き込まれる。新たなレコードの「名称」には、ユーザにより操作パネル５を介して任意に入力された名称が書き込まれ、「機能設定内容」には、操作パネル５により受け付けられた各機能の設定が、設定順を示す番号と共に書き込まれる。
【００３２】
尚、既にプログラム設定登録リストに記憶されている機能の設定の削除指示が操作パネル５を介してなされた場合には、制御部４５は、該当する機能の設定が含まれているレコードをプログラム設定登録リストから削除する。
【００３３】
（２−２）読み出し画面の表示制御
操作パネル５上のプログラムキー５１Ｂが押された場合、制御部４５は、図６及び図７に示すように、設定された機能を示す記号及びその機能の設定に対応する名称が読み出しボタンＫ１〜Ｋ５上に表示されるように、タッチパネル５ａの表示動作を制御する。具体的には、制御部４５は、記憶部４４のプログラム設定登録リスト（図４）から機能の設定に関するデータをレコード単位で取り出し、図３の記号対応表に基づいて、設定された各機能を示す記号を抽出する。そして、制御部４５は、機能の設定に対応する名称と抽出した記号とを、各レコードに対応する読み出しボタンＫ１〜Ｋ５上に表示させる。
【００３４】
例えば、図４のプログラム設定登録リストにおいて、制御部４５は、登録順“００１”のレコードを取り出すと、機能設定内容“ソート”“原稿サイズ混載”“原稿セット向き”それぞれに対応する記号を図３の記号対応表から抽出する。そして、制御部４５は、登録順“００１”のレコードに対応する読み出しボタンＫ１（図６）に名称“通常コピー１”を表示させ、名称の上にソート／仕分け機能、原稿サイズ混載機能、原稿セット向き設定機能の各記号（具体的には、アイコン）を、左から順に表示させる。
【００３５】
ここで、図６及び図７に示すように、本実施形態に係る読み出しボタンＫ１〜Ｋ５では、３つの記号が表示可能なように、記号の配置領域が３つに区切られている。図４のプログラム設定登録リストでは、登録順が“００１”から“００４”までのレコードにおいては、設定された機能が３つ以下であるため、各機能を示す記号は全て表示される。しかし、登録順が“００５”のレコードにおいては、設定された機能が４つであるため、各機能を示す記号全てを読み出しボタンＫ５に表示させることができない。このように、設定された機能の数が読み出しボタンＫ１〜Ｋ５に表示可能な記号の上限数（第１上限数に相当）を越えている場合には、制御部４５は、記号を、機能の設定順に上限数に至るまで読み出しボタンＫ１〜Ｋ５に表示させる。具体的には、登録順が“００５”のレコードにおいては、ソート機能、原稿サイズ設定機能、両面印刷機能、原稿セット向き設定機能がこの順に設定されているため、制御部４５は、ソート／仕分け機能、原稿サイズ設定機能及び両面印刷機能を示す記号３つを、読み出しボタンＫ５に表示させる（図７）。
【００３６】
尚、プログラム設定登録リストにレコードがない場合には、制御部４５は、例えば登録されている機能の設定がない旨を示すメッセージを、タッチパネル５ａに表示させる。
【００３７】
（２−３）編集画面の表示制御
図６及び図７の読み出し画面Ｐ１，Ｐ２において、読み出しボタンＫ１〜Ｋ５上に選択可能に表示された記号が選択された場合、制御部４５は、選択された記号に対応する機能の編集画面がタッチパネル５ａに表示されるように、タッチパネル５ａの表示動作を制御する。
【００３８】
例えば、図６の読み出し画面Ｐ１において、読み出しボタンＫ２上の原稿サイズ設定機能の記号（具体的には、読み出しボタンＫ２上の一番左側のアイコン）が選択された場合、制御部４５は、図８に示すように、原稿サイズ設定機能の編集画面Ｐ３を読み出し画面Ｐ１に重ねて表示させる。
【００３９】
（３）表示制御装置の動作
図９は、表示制御装置１００の動作を説明するためのフロー図である。
【００４０】
ステップＳ１〜Ｓ２：操作パネル５上のプログラムキー５１Ｂが押されると（Ｓ１のＹＥＳ）、制御部４５は、プログラム設定登録リストの各レコードに対応する読み出しボタンＫ１〜Ｋ５を含む読み出し画面Ｐ１，Ｐ２がタッチパネル５ａに表示されるように、タッチパネル５ａの表示動作を制御する。この時、制御部４５は、機能の設定に対応する名称と設定された機能を示す記号とを、読み出しボタンＫ１〜Ｋ５上に表示させる（Ｓ２）。これにより、タッチパネル５ａには、図６及び図７に示す読み出し画面Ｐ１，Ｐ２が表示される。
【００４１】
ステップＳ３〜Ｓ４：図６及び図７の読み出し画面Ｐ１，Ｐ２上から新規登録ボタンが押され（Ｓ３のＹＥＳ）、その後機能の設定が操作パネル５を介してユーザによりなされた場合には、制御部４５は、操作パネル５が受け付けた機能の設定とその機能の設定を表す名称とを対応づけて、記憶部４４のプログラム設定登録リストに記憶させる（Ｓ４）。
【００４２】
ステップＳ５〜Ｓ６：図６及び図７の読み出し画面Ｐ１，Ｐ２上から削除ボタンが押され（Ｓ５のＹＥＳ）、その後削除すべき機能の設定が操作パネル５を介してユーザによりなされた場合には、制御部４５は、その機能の設定に対応するレコードを、プログラム設定登録リストから消去する（Ｓ６）。
【００４３】
ステップＳ７〜Ｓ８：読み出しボタンＫ１〜Ｋ５上の記号が押された場合には（Ｓ７のＹＥＳ）、制御部４５は、押された記号に対応する機能の編集画面をタッチパネル５ａに表示させる（Ｓ８）。
【００４４】
ステップＳ９〜Ｓ１０：読み出しボタンＫ１〜Ｋ５のいずれかが押された場合には（Ｓ９のＹＥＳ）、制御部４５は、押された読み出しボタンＫ１〜Ｋ５に対応するレコードの機能設定内容をプログラム設定登録リストから抽出し、機能の設定の読み出しを行う（Ｓ１０）。
【００４５】
（４）効果
（ａ）
本実施形態に係る表示制御装置１００によると、読み出しボタンＫ１〜Ｋ５には、設定された機能を示す文字や絵、絵文字等の記号が表示される。従って、ユーザは、具体的にどのような機能の設定に関する読み出しボタンＫ１〜Ｋ５であるのかを視覚的に認識し、所望の読み出しボタンＫ１〜Ｋ５を選択することができる。
【００４６】
（ｂ）
また、表示制御装置１００によると、読み出しボタンＫ１〜Ｋ５には、設定された機能を示す記号と共に、ユーザにより入力された名称が表示される。従って、ユーザは、読み出しボタンＫ１〜Ｋ５がどのような機能の設定に関するものであるのかを、確実に認識することができる。
【００４７】
（ｃ）
また、表示制御装置１００によると、設定された機能の数が読み出しボタンＫ１〜Ｋ５に表示可能な記号の上限数を超えている場合、読み出しボタンＫ１〜Ｋ５には、はじめに設定が行われた機能から順に上限数となるまでの記号が表示される。従って、ユーザは、主にどのような機能の設定に関するボタンであるのかを認識することができる。
【００４８】
（ｄ）
また、表示制御装置１００によると、記号は選択可能に表示され、記号が選択された場合、選択された記号に対応する機能の編集画面がタッチパネル５ａに表示される。これにより、ユーザは、選択した機能の設定を変更することができる。
【００４９】
＜その他の実施形態＞
（Ａ）
上記実施形態では、設定された機能の数が読み出しボタンＫ１〜Ｋ５に表示可能な記号上限数を越えている場合には、制御部４５が、はじめに設定が行われた機能から順に上限数となるまでの記号をタッチパネル５ａに表示すると説明したが、これに限定されない。
【００５０】
例えば、設定された機能の数が読み出しボタンＫ１〜Ｋ５に表示可能な記号の上限数（第２上限数に相当）を超えている場合、タッチパネル５ａ及び／または操作キー５ｂは、設定された機能のうち、読み出しボタン上に表示すべき記号に対応する機能の選択を受け付けてもよい。この場合、記憶部４４には、図１０に示すように、図４のプログラム設定登録リストにおける“登録順”、“名称”、“機能設定内容”に加え、更に“選択された機能”が対応づけられているプログラム設定登録リストが記憶されている。そして、制御部４５は、選択された機能を示す記号を、読み出しボタン上に表示させる（図１１）。尚、図１１は、この方法によりタッチパネル５ａに表示されている、読み出しボタンＫ５’を含む読み出し画面Ｐ２’の一例を示している。読み出しボタンＫ５’は、図１０のプログラム設定登録リストにおける登録順“００５”のレコードに対応するボタンである。
【００５１】
このように、読み出しボタンＫ５’には、ユーザにより選択された機能の記号が表示されるため、ユーザは、主にどのような機能の設定に関するボタンであるのかを認識することができる。
【００５２】
（Ｂ）
上記実施形態では、図６及び図７に示すように、読み出しボタンＫ１〜Ｋ５の下の領域には名称が表示され、上の領域には記号が横に並んで表示される場合について説明した。しかし、読み出しボタンに表示される名称及び記号の表示位置は、これに限定されない。名称及び記号のその他の具体的な表示方法としては、図１２（ａ）に示すように、読み出しボタンの上の領域には名称が表示され、下の領域には記号が表示される方法、図１２（ｂ）及び（ｃ）に示すように、読み出しボタンの左右に名称と記号とが並んで表示される方法、図１２（ｄ）に示すように、名称と記号とが重なって表示される方法等が挙げられる。
【００５３】
（Ｃ）
上記実施形態では、読み出しボタンＫ１〜Ｋ５に、設定された機能を示す記号が表示されていると共に、その機能の設定を表すべき名称が表示される場合について説明した。しかし、例えばプログラム設定登録リストには、機能の設定が１レコード分のみ書き込まれており、画面に表示される読み出しボタンが１つである場合のように、読み出しボタン上に名称が表示されずとも記号のみで設定された機能の内容がユーザに認識可能であれば、読み出しボタンには、設定された機能を示す記号のみが表示されてもよい。
【産業上の利用可能性】
【００５４】
本発明に係る表示制御装置は、複写機、プリンタ及びファクシミリ装置の各機種や、これらの機能に更にスキャナ機能を併せ持つ複合機等の画像形成装置において適用できる。
【図面の簡単な説明】
【００５５】
【図１】本実施形態に係る表示制御装置が採用された複合機の外観図。
【図２】複合機の構成を模式的に示すブロック図。
【図３】記憶部が記憶している記号対応表の概念図。
【図４】記憶部が記憶しているプログラム設定登録リストの概念図。
【図５】操作パネルの外観概略図。
【図６】タッチパネルに表示される読み出しボタンを含む画面例１。
【図７】タッチパネルに表示される読み出しボタンを含む画面例２。
【図８】記号が選択された時に、タッチパネルに表示される編集画面の例。
【図９】本実施形態に係る表示制御装置の動作を説明するためのフロー図。
【図１０】その他の実施形態（Ａ）に係るプログラム設定登録リストの概念図。
【図１１】その他の実施形態（Ａ）に係るタッチタッチパネルに表示される画面例。
【図１２】その他の実施形態（Ｂ）に係る読み出しボタンに表示される記号と名称の例。
【符号の説明】
【００５６】
１  複合機
５  操作パネル
５ａ  タッチパネル
５ｂ  操作キー
４４  記憶部
４５  制御部
１００  表示制御装置
Ｐ１〜Ｐ３  画面
Ｋ１〜Ｋ５  読み出しボタン
【図１】
2009065243.tif 000003
【図２】
2009065243.tif 000004
【図３】
2009065243.tif 000005
【図４】
2009065243.tif 000006
【図５】
2009065243.tif 000007
【図６】
2009065243.tif 000008
【図７】
2009065243.tif 000009
【図８】
2009065243.tif 000010
【図９】
2009065243.tif 000011
【図１０】
2009065243.tif 000012
【図１１】
2009065243.tif 000013
【図１２】
2009065243.tif 000014